(57)【要約】【課題】本発明は、ロック操作部の操作を行い易い蓋部材及び容器の提供を目的の提供を目的とする。【解決手段】本発明の蓋部材２は、蓋本体３と、注出用蓋４とを備える。蓋本体３は、通液孔３１ｃと把持部３３とを備える。注出用蓋４は、蓋本体３と回動自在に連結された注出用蓋連結部４４ｄを備えているとともに、その注出用蓋連結部４４ｄを挟んでその一方側に通液孔３１ｃを開閉する栓部４１ａを、その他方側に、栓部４１ａが通液孔３１ｃを閉めた閉栓状態で蓋本体３に対して注出用蓋４を回動不能にロックするロック操作部４３を、それぞれ備える。【選択図】図３
2015071444.tif 000002
【特許請求の範囲】
【請求項１】
蓋本体と、前記蓋本体に回動軸回りに回動可能に連結された注出用蓋とを備え、前記蓋本体が容器本体に取り付けられるようにして使用される蓋部材であって、
前記蓋本体は、前記回動軸を挟んで一方側に、前記容器本体に収容された液体を通すための通液孔を、その他方側に、把持部を、それぞれ、備え、
前記注出用蓋は、前記回動軸を挟んでその一方側に、前記通液孔を開閉する栓部を、その他方側に、前記通液孔を開放する方向に前記注出用蓋を回動操作するための回動操作部を備え、
前記回動操作部には、前記栓部が前記通液孔を閉めた閉栓状態で前記蓋本体に対して前記注出用蓋を回動不能にロックするロック操作部が設けられていることを特徴とする蓋部材。
【請求項２】
前記注出用蓋は、前記回動操作部の押し下げ操作によって開栓状態になるように前記蓋本体に連結され、
前記ロック操作部は、前記注出用蓋本体の回動軸に対して接離する方向に摺動可能に保持された操作部材を備え、
前記操作部材は、前記回動軸に向かう方向への摺動に伴って前記注出用蓋をロック状態にし、前記回動軸から離れる方向への摺動に伴って、ロック解除状態にするとともに前記回動操作部を押し下げ操作できるように構成されていることを特徴とする請求項１記載の蓋部材。
【請求項３】
前記操作部材は、前記蓋本体の把持部を把持した手で操作できるように、前記把持部と回動軸との間に配設されていることを特徴とする請求項２記載の蓋部材。
【請求項４】
前記注出用蓋は、前記操作部材を摺動させる操作部材摺動部を備え、
前記操作部材摺動部は、前記把持部の上方に配置されているとともに、前記回動軸から離れる方向に向かって下に傾斜した漸低部を備えていることを特徴とする請求項２又は３記載の蓋部材。
【請求項５】
請求項１〜４の何れか一項に記載の蓋部材と、前記蓋部材が取り付けられた容器本体とを備えていることを特徴とする容器。
【発明の詳細な説明】
【技術分野】
【０００１】
本発明は、蓋部材及びその蓋部材を備えた容器に関するものである。
【背景技術】
【０００２】
従来から、蓋本体と、蓋本体に連結された注出用蓋とを備え、蓋本体が容器本体に取り付けられるようにして使用される蓋部材が知られており、例えば特許文献１に、そのような蓋部材が開示されている。この特許文献１に開示された蓋部材の蓋本体は、その一端部側である前端部側に容器本体に収容された液体を通すための通液孔を備え、その他端部側である後端部側に把持部を備えている。また、注出用蓋は、その注出用蓋の前端部と後端部との間の中間部に、蓋本体と回動自在に連結された注出用蓋連結部を備えているとともに、その注出用蓋連結部の前方側に、通液孔を開閉する栓部とその栓部が通液孔を閉めた蓋本体に対して前記注出用蓋を回動不能にロックするロック操作部とを備えている。そして、容器本体に蓋本体を取り付けて容器本体に収容した液体を注出する場合は、例えば把持部を一方の手で把持し、他方の手でロックしたロック操作部を解除操作するとともに、前記把持部を把持した一方の手で閉栓状態の注出用蓋の他端部を下方に押圧する。これにより、注出用蓋が回動し栓部が通液孔を開栓して容器本体に収容した液体を注出できるようになっている。
【先行技術文献】
【特許文献】
【０００３】
【特許文献１】特開２０１１−５７２９０号公報
【発明の概要】
【発明が解決しようとする課題】
【０００４】
しかしながら、特許文献１に開示された蓋部材では、注出用蓋連結部の前方側に栓部とロック操作部とが配設されているため、ロック操作部が把持部に対して相当の距離を隔てて位置し、例えば把持部を把持した一方の手でロック操作部を操作するとともに、その一方の手で注出用蓋の他端部を下方に押圧操作することは困難であり、上述のように把持部を把持した手と異なる他方の手でロック操作部を操作しなければならない。そのため、例えば他方の手で他のものを持っていて他方の手が使用できないような場合には、ロック操作部を操作し難いという問題点がある。
【０００５】
本発明は、ロック操作部の操作を行い易い蓋部材及び容器の提供を目的とする。
【課題を解決するための手段】
【０００６】
上記課題を解決するため、本発明は、蓋本体と、前記蓋本体に回動軸回りに回動可能に連結された注出用蓋とを備え、前記蓋本体が容器本体に取り付けられるようにして使用される蓋部材であって、前記蓋本体は、前記回動軸を挟んで一方側に、前記容器本体に収容された液体を通すための通液孔を、その他方側に、把持部を、それぞれ、備え、前記注出用蓋は、前記回動軸を挟んでその一方側に、前記通液孔を開閉する栓部を、その他方側に、前記通液孔を開放する方向に前記注出用蓋を回動操作するための回動操作部を備え、前記回動操作部には、前記栓部が前記通液孔を閉めた閉栓状態で前記蓋本体に対して前記注出用蓋を回動不能にロックするロック操作部が設けられていることを特徴とする蓋部材を提供する。
【０００７】
この構成によれば、ロック操作部が把持部と近接した位置となり、例えば把持部を把持するとともに、その把持した手でロック操作部の操作を行うことも可能になり、ロック操作部の操作を行い易いものにできる。
【０００８】
これにより、例えば使用に際しての、注出用蓋のロック解除操作、注出用蓋の回動操作、液体の注出操作、注出用蓋の回動操作、及び注出用蓋のロック操作という一連の操作を片手で行うことも可能になり、使用し易いものにできる。
【０００９】
前記蓋部材において、前記注出用蓋は、前記回動操作部の押し下げ操作によって開栓状態になるように前記蓋本体に連結され、前記ロック操作部は、前記注出用蓋本体の回動軸に対して接離する方向に摺動可能に保持された操作部材を備え、前記操作部材は、前記回動軸に向かう方向への摺動に伴って前記注出用蓋をロック状態にし、前記回動軸から離れる方向への摺動に伴って、ロック解除状態にするとともに前記回動操作部を押し下げ操作できるように構成されているものにできる。
【００１０】
この構成によれば、例えば把持部を把持した手で操作部材を回動軸と離れる方向、即ち把持部側へ引き操作すれば、操作部材を把持部側へ摺動させてロック解除できるとともに、その引き操作に伴い同時に注出用蓋を回動させて栓部が通液孔を開けた状態にすることも可能になる。従って、ロック操作部の操作を、より行い易いものにできる。
【００１１】
前記蓋部材において、前記蓋本体の把持部を把持した手で操作できるように、前記把持部と回動軸との間に配設されている構成とできる。
【００１２】
この構成によれば、把持部を把持した手で操作部材を確実に操作でき、ロック操作部の操作を、より一層、行い易くできる。
【００１３】
前記蓋部材において、前記注出用蓋は、前記操作部材を摺動させる操作部材摺動部を備え、前記操作部材摺動部は、前記把持部の上方に配置されているとともに、前記回動軸から離れる方向に向かって下に傾斜した漸低部を備えている構成とできる。
【００１４】
この構成によれば、操作部材を把持部側へ引き操作する際、操作部材を係止した注出用蓋の回動操作部に下向きの力がかかり易くなる。これにより、操作部材を把持部側へ摺動させる際に、より一層、注出用蓋を回動させ易くでき、ロック操作部の操作を、より一層、行い易いものにできる。
【００１５】
又、本発明は、上述の何れかの蓋部材と、前記蓋部材が取り付けられた容器本体とを備えていることを特徴とする容器を提供する。
【００１６】
この構成によれば、例えば把持部を把持するとともに、その把持した手でロック操作部を操作することも可能になり、ロック操作部を操作し易いものにでき、例えば使用に際しての、注出用蓋のロック解除操作、注出用蓋の回動操作、液体の注出操作、注出用蓋の回動操作、及び注出用蓋のロック操作という一連の操作を片手で行うことも可能になり、使用し易い容器にできる。
【発明の効果】
【００１７】
本発明の蓋部材及び容器は、ロック操作部の操作を行い易いものにできる。
【図面の簡単な説明】
【００１８】
【図１】本発明の蓋部材を備えた容器の平面図である。
【図２】図１のII−II線断面図である。
【図３】図１のIII−III線断面図である。
【図４】図２の要部の拡大図である。
【図５】（ａ）は、蓋部材の蓋本体の平面図、（ｂ）は、図５（ａ）の側面図、（ｃ）は、図５（ａ）の背面図、（ｄ）は、図５（ａ）の底面図である。
【図６】図５（ａ）のVI−VI線拡大断面図である。
【図７】図６のVII−VII線断面図である。
【図８】図６のVIII−VIII線断面図である。
【図９】（ａ）は、蓋部材の注出用蓋本体の平面図、（ｂ）は、図９（ａ）の側面図、（ｃ）は、図９（ａ）の底面図である。
【図１０】図９（ａ）のX−X線断面図である。
【図１１】図９（ａ）のXI−XI線断面図である。
【図１２】（ａ）は、蓋部材の操作部材の平面図、（ｂ）は、図１２（ａ）の正面図、（ｃ）は、図１２（ａ）の背面図、（ｄ）は、図１２（ａ）の底面図である。
【図１３】図１２（ｄ）のXIII−XIII線断面図である。
【図１４】操作部材が注出用蓋本体に取り付けた状態の要部拡大断面図である。
【図１５】付勢部材の平面図である。
【図１６】図１５のXVI−XVI線断面図である。
【図１７】パッキンの平面図である。
【図１８】図１７のXVIII−XVIII線断面図である。
【図１９】（ａ）は、弾性係止片の他の実施形態の平面図、（ｂ）は、図１９（ａ）の側面図である。
【図２０】図１９の他の実施形態の弾性係止片を注出用蓋本体に取り付けた状態の要部拡大断面図である。
【発明を実施するための形態】
【００１９】
以下、本発明を実施するための形態について、図面を参照しながら詳細に説明する。図１は、本発明の蓋部材を備えた容器の平面図、図２は、図１のII−II線断面図、図３は、図１のIII−III線断面図、図４は、図２の要部の拡大図である。
【００２０】
本発明の容器１０は、容器本体１と、蓋部材２とを備えている。容器本体１は、この実施形態では、合成樹脂製の有底円筒状のものから構成され、内部に、水等の液体を収容できるようになっている。また、容器本体１は、上端部の外周に、蓋部材２を取り外し自在に取り付けるための雄ネジ部１１を備えている。尚、容器本体１は、合成樹脂製のものに限らず、例えばガラス製のものでもよく、適宜変更し得る。
【００２１】
蓋部材２は、合成樹脂製の蓋本体３と、合成樹脂製の注出用蓋４とを備えている。蓋本体３は、この実施形態では、天板部３１ａを有する有天円筒状の筒状部３１と、筒状部３１から上方に突設された枠部３２と、把持部３３とを備えている。
【００２２】
筒状部３１は、内周側に、容器本体１の雄ネジ部１１に螺合する雌ネジ部３１ｂを備え、この雌ネジ部３１ｂが容器本体１の雄ネジ部１１に螺合されることにより、蓋部材２が容器本体１に取り付けられる。
【００２３】
又、筒状部３１は、天板部３１ａにおける前端部（一端部）に、容器本体１に収容された液体を通すための円形状の通液孔３１ｃと、通液孔３１ｃから出てきた液体を注ぐ注ぎ口３１ｄとを備えている。通液孔３１ｃは、天板部３１ａを下面から枠部３２内に貫通するように形成されている。
【００２４】
枠部３２は、図５〜図８に示すように、天板部３１ａに立設された左右一対の左側壁３２ａ及び右側壁３２ｂを備え、上方側が開放されている。左側壁３２ａと右側壁３２ｂとは、通液孔３１ｃ及び注ぎ口３１ｄを挟むように通液孔３１ｃの左右両側に互いに所定距離を隔てて平行に、筒状部３１の前端から後端の後方に突出するように前後方向に延ばされている。
【００２５】
又、左側壁３２ａ及び右側壁３２ｂの左右のほぼ中央部の下部に、手提げ部３２ｅが形成されている。詳しくは、この実施形態の手提げ部３２ｅは、左側壁３２ａから右側壁３２ｂに左右方向に貫くように貫通孔３２ｃが形成されることによって指を挿通できるようになっている。又、手提げ部３２ｅは、その貫通孔３２ｃを囲むようにして左側壁３２ａから右側壁３２ｂに渡されるように延ばされた上内周壁３２ｆ及び左右の内周壁を備え、これらによって提げた手を傷めることがないようになっている。
【００２６】
又、枠部３２は、注出用蓋４を回動自在に連結する蓋本体連結部（回動軸）３２ｇ、３２ｈ（図１参照）を備えている。この実施形態の蓋本体連結部は、軸部３２ｇと、軸補強部３２ｈとを備えている。
【００２７】
軸部３２ｇは、左側壁３２ａと右側壁３２ｂとのそれぞれから、互いに対向するように突設された一対から構成されている。軸補強部３２ｈは、上内周壁３２ｆに下方側から支持されるようにして、一対の軸部３２ｇ間に形成されている。
【００２８】
把持部３３は、筒状部３１の後部側の外周から径方向外側に突設されているとともに、枠部３２から筒状部３１の下方側に延ばされている。又、把持部３３は、蓋本体連結部３２ｇ、３２ｈよりも高さが低い位置に配設されている。
【００２９】
又、蓋本体３は、蓋本体連結部３２ｇ、３２ｈと把持部３３との間に、後述のロック位置の操作部材４６の足部４８と当接する足部当接部３４を備えているとともに、蓋本体連結部３２ｇ、３２ｈと足部当接部３４との間に、後述の付勢部材４９（図２に図示）を下方側から受ける付勢部材受け部３５を備えている。
【００３０】
次に、注出用蓋４について説明する。この実施形態の注出用蓋４は、長尺状の注出用蓋本体４１と、ロック操作部４３と、付勢部材４９とを備えている。
【００３１】
注出用蓋本体４１は、図９〜図１１に示すように、側壁３２ａ、３２ｂ間に挿入されて枠部３２を上方側から覆うことができる大きさに形成されており、その長手方向の一端部である前端部における下面側に、蓋本体３の通液孔３１ｃに開閉自在に栓をする栓部４１ａを備えている。
【００３２】
この栓部４１ａは、注出用蓋本体４１の下面から下方に円筒状に突設されている。この栓部４１ａは、図２、図４に示すように、その下端部に、通液孔３１ｃからの液体防止用のパッキン４２を備えている。この実施形態のパッキン４２は、図１７、図１８に示すように、有底円筒状のものから構成されている。
【００３３】
又、注出用蓋本体４１は、その長手方向の他端部である後端部に、注出用蓋４を回動操作する回動操作部４０を備えている。又、この実施形態では、回動操作部４０は、後述のロック操作部４３の操作部材４６を保持した操作部材保持部４５を備えている。
【００３４】
この操作部材保持部４５は、後述の操作部材４６の足部４８が挿通する一対の長孔４５ａと、操作部材４６が摺動する操作部材摺動部４４ｂと、操作部材４６を係脱自在に係止する弾性を有する弾性係止片４４ｇとを備えている。
【００３５】
長孔４５ａは、互いに幅方向に距離を隔てて平行に配設されている。各長孔４５ａは、注出用蓋本体４１の前後方向に沿う長手方向に、所定の長さで注出用蓋本体４１の上面から下面に貫通するように形成されている。
【００３６】
操作部材摺動部４４ｂは、その後部側に、後方側に行くに従って漸次高さが低くなる漸低部４４ｉを備え、この漸低部４４ｉに沿って操作部材４６が後方側に摺動するに伴って操作部材４６の高さ位置が低くなるようになっている。
【００３７】
この実施形態では、漸低部４４ｉは、円弧面から構成されている。なお、漸低部４４ｉは、円弧面から構成される形態のものに限らず、例えば把持部３３側に行くに従って漸次高さが低くなる傾斜面から構成されてもよく、適宜変更しうる。
【００３８】
弾性係止片４４ｇは、注出用蓋本体４１と一体的に形成されており、その先端側に湾曲状に形成された係止凸部４４ｈを備え、一対の長孔４５ａの間に配設されている。
【００３９】
又、注出用蓋本体４１は、栓部４１ａと操作部材保持部４５との間における下面側に、蓋本体連結部３２ｇ、３２ｈに連結した注出用蓋連結部（回動軸）４４ｃ、４４ｄを備えている。
【００４０】
この実施形態の注出用蓋連結部は、軸部３２ｇを回動自在に受容する軸受容凹部４４ｃと、軸補強部３２ｅに当接する軸当接部４４ｄとを備えている。
【００４１】
又、注出用蓋本体４１は、注出用蓋連結部４４ｃ、４４ｄと操作部材保持部４５との間における下面側に、付勢部材４９を保持した円柱状の付勢部材保持部５０を備えている。
【００４２】
ロック操作部４３は、操作部材保持部４５に摺動自在に保持された操作部材４６を備えている。
【００４３】
操作部材４６は、図１２〜図１４に示すように、操作部材本体４７と、操作部材本体４７から下方に突設された一対の足部４８とを備えている。操作部材本体４７は、上面側に山形状に形成された操作部４７ａと、下面側に形成された係止凹部４７ｂ、４７ｃとを備えている。
【００４４】
係止凹部４７ｂ、４７ｃは、弾性係止片４４ｇの係止凸部４４ｈが嵌り込んで係止される。この実施形態の係止凹部は、操作部材４６がロック解除位置で係止凸部４４ｈが嵌り込んで係止するように形成されたロック解除係止凹部４７ｂと、ロック解除係止凹部４７ｂの後方側に操作部材４６がロック位置で係止凸部４４ｈが嵌り込んで係止するように形成されたロック係止凹部４７ｃとを備えている。
【００４５】
足部４８は、それぞれ、側面に抜け止め用突起４８ａを備えている。そして、足部４８は、操作部材保持部４５の長孔４５ａに上面側から押し入れられるようにして挿通されている。又、抜け止め用突起４８ａによって、足部４８は、挿通された長孔４５ａから抜け止めされて操作部材保持部４５に前後方向に移動可能に保持されている。
【００４６】
このようにして操作部材保持部４５に保持された操作部材４６は、ロック解除係止凹部４７ｂに係止凸部４４ｈが嵌り込んで係止する図１４に示すロック解除位置から、操作部材摺動部４４ｂを上前方側に摺動して、ロック係止凹部４７ｃに係止凸部４４ｈが嵌り込んで係止する図１４に２点鎖線で示すロック位置までの範囲を前後方向（回動軸に対して接離方向）に摺動する。
【００４７】
次に、付勢部材４９について説明する。付勢部材４９は、図１５、図１６に示すように、開栓した注出用蓋本体４１を閉栓するように付勢するためのもので、この実施形態では、付勢部材４９は、シリコーンゴム等の弾性部材から有底円筒状に形成されており、上端部に、注出用蓋本体４１の付勢部材保持部５０が嵌め入れられるようにして付勢部材保持部５０に保持されている。
【００４８】
そして、このように構成された注出用蓋本体４１は、図１、図２、図４に示すように、長手方向が枠部３２の前後方向に沿って配設されるようにして軸受容凹部４４ｃに軸部３２ｇが受容される。
【００４９】
又、この状態で、軸補強部３２ｈと軸当接部４４ｄとが当接し、その状態で、注出用蓋本体４１の前端部が軸部３２ｇを回動軸にして上下方向に回動し、その回動に際して栓部４１ａが通液孔３１ｃを開閉する。又、この状態で、操作部材４６は、把持部３３と回動軸との間に配設されている。
【００５０】
又、閉栓状態で、付勢部材４９の下方位置に、付勢部材受け部３５が、付勢部材４９の下面との間に殆ど隙間ができない程度に配設されており、付勢部材４９は弾性変形していない状態になっている。
【００５１】
又、その閉栓状態で、図１４の２点鎖線で示すように、操作部材４６のロック係止凹部４７ｃに係止凸部４４ｈが嵌り込んで係止した状態になっているとともに、操作部材４６の足部４８の下方位置に、足部当接部３４が配置した状態になっている。
【００５２】
従って、この状態で、注出用蓋本体４１の後端部側が下方に押圧されても、操作部材４６の足部４８が足部当接部３４に当て止めされて、下方に移動できずに注出用蓋本体４１は回動不能状態になって、開栓しないようにロックしたロック状態になっている。
【００５３】
次に、本発明の容器１０の動作について説明する。容器本体１に収納した液体を注出させる場合は、操作部材４６を操作部材摺動部４４ｂの後方側（回動軸と離れる方向）に摺動させて把持部３３側に引き寄せる。
【００５４】
これにより、操作部材４６のロック係止凹部４７ｃが係止凸部４４ｈから外れ、操作部材４６が後方側に摺動する。又、この操作部材４６の後方側への摺動によって、操作部材４６の足部４８が足部当接部３４の後方位置に移動し、ロック解除状態になる。
【００５５】
その際、操作部材４６が、把持部３３と回動軸との間であって把持部３３の近傍位置に配設されているため、例えば把持部３３を保持した手の親指で操作部材４６を引き寄せ操作できる。
【００５６】
又、引き寄せ操作に際して、操作部材摺動部４４ｂが後方側、即ち把持部３３側に漸次高さが低くなっているため、操作部材４６に下方向成分の力がかかる。従って、引き寄せ操作に伴って、同時に操作部材４６を介して注出用蓋４の回動操作部４０を下方に押圧できる。
【００５７】
これにより、注出用蓋本体４１の前端部側が上方側に回動し、その回動に伴い、付勢部材４９が付勢部材受け部３５に押圧されて弾性変形して弾性力を蓄えつつ、栓部４１ａが通液孔３１ｃを開ける。又、操作部材４６のロック解除係止凹部４７ｂに係止凸部４４ｈが嵌り込んで係止し、操作部材４６はその位置に維持される。
【００５８】
従って、この状態で、容器本体１に収納した液体を通液孔３１ｃを介して注ぎ口３１ｄから注出できる。
【００５９】
注ぎ口３１ｄから液体を注出し終えた後は、押圧している手を操作部材４６から離す。これにより、付勢部材４９の弾性力によって、注出用蓋本体４１の前端部側が下方側に回動し、その回動に伴い、栓部４１ａが通液孔３１ｃを閉める。
【００６０】
そして、操作部材４６を前方側（回動軸に向かう方向）に押圧操作する。これにより、操作部材４６のロック解除係止凹部４７ｂから係止凸部４４ｈが外れ、操作部材４６が操作部材摺動部４４ｂを上前方側に摺動し、ロック係止凹部４７ｃに係止凸部４４ｈが嵌り込んで係止する。
【００６１】
この場合においても、操作部材４６の前方側への押圧操作を、例えば把持部３３を保持した手の親指で行うことができる。
【００６２】
尚、上記実施形態では、係止凸部４４ｈを有する弾性係止片４４ｇは、注出用蓋本体４１と一体成形によって形成されたが、この形態のものに限らず、適宜変更できる。例えば、図１９に示すように係止凸部１４４ｂ有する弾性係止片１４４は、注出用蓋本体と別体から構成されたものでもよい。
【００６３】
詳しくは、弾性係止片１４４は、図１９に示すように板バネから構成され、その一端側に、注出用蓋本体４１に取り付けられる孔からなる被取付け部１４４ａを備え、その他端側に、円弧状に形成された係止凸部１４４ｂを備えている。
【００６４】
そして、この弾性係止片１４４は、図２０に示すように、被取付け部１４４ａが、注出用蓋本体４１に設けられた凸部１４１ｂを有する弾性係止片取付部１４１ａのその凸部１４１ｂに嵌挿されることにより取り付けられる。
【００６５】
又、上記実施形態では、操作部材は、弾性係止片によって、ロック位置と、ロック解除位置とにそれぞれ係止されるようになっているが、この形態のものに限らず、適宜変更できる。例えば操作部材は、ロック解除位置にくると付勢部材によって回動軸に向かう方向である前方側に付勢されるように構成されてもよい。
【符号の説明】
【００６６】
１    容器
２    蓋部材
３    蓋本体
４    注出用蓋
１０    容器本体
３１ｃ    通液孔
３３    把持部
４１    注出用蓋本体
４１ａ    栓部
４４ｂ    操作部材摺動部
４６    操作部材
４９    付勢部材
【図１】
2015071444.tif 000003
【図２】
2015071444.tif 000004
【図３】
2015071444.tif 000005
【図４】
2015071444.tif 000006
【図５】
2015071444.tif 000007
【図６】
2015071444.tif 000008
【図７】
2015071444.tif 000009
【図８】
2015071444.tif 000010
【図９】
2015071444.tif 000011
【図１０】
2015071444.tif 000012
【図１１】
2015071444.tif 000013
【図１２】
2015071444.tif 000014
【図１３】
2015071444.tif 000015
【図１４】
2015071444.tif 000016
【図１５】
2015071444.tif 000017
【図１６】
2015071444.tif 000018
【図１７】
2015071444.tif 000019
【図１８】
2015071444.tif 000020
【図１９】
2015071444.tif 000021
【図２０】
2015071444.tif 000022